(57)【要約】      （修正有）【課題】地震の際にタンス等の引き出しが飛び出すことを防止したり、観音開き等の開き扉が開いて中の物が飛び散ること等を防止する、留め金と取っ手の機能を一体化し、留め金と取っ手を兼ねる耐震用グリップの提供。【解決手段】台座１を引き出し又は扉に装着し、台座３を台座１と接する引き出しと引き出しの間の桟や観音開き等の扉等に装着し、台座１、３に設けた９０度の鉤型の溝の上に台座２をスライドさせることで、留め金の機能を果たし、台座２に取っ手を装着することで取っ手の機能も果たし、１つの器具で留め金と取っ手の２つの機能を果たす。従って、効率的で外観も美しく、且つ防災に役に立つ。【選択図】図１
0003114006.tif 000002
【実用新案登録請求の範囲】
【請求項１】
台座１を引き出し又は観音開き等の扉等に装着し、台座３を台座１と接する引き出しと引き出しの間の桟や扉等に装着し、台座１、３に設けた９０度の鉤型の溝６、７に沿って台座２をスライドさせることで、留め金の機能を果たして、地震等によって、引き出しが飛び出したり、扉が開くことを防ぎ、さらに、台座２に取っ手を装着することで取っ手の機能も果たして、引き出しや扉の開閉ができる、１つの器具で留め金と取っ手の２つの機能を果たす、留め金と取っ手を兼ねる耐震用グリップ。
【請求項２】
請求項１の１、２、３、６、７が適宜形状で、特に６、７と６、７に挿入する突起１５、１６を硬質な素材で作った、請求項１の留め金と取っ手を兼ねる耐震用グリップ。
【考案の詳細な説明】
【技術分野】
【０００１】  本考案は、地震の際にタンス等の引き出しが飛び出したり扉が開くことを防止する、留め金と取っ手を一体化した留め金と取っ手を兼ねる耐震用グリップである。
【背景技術】
【０００２】  地震の際にタンス等の引き出しが飛び出したり、観音開き等の扉等が開いて皿や物が飛び出したりして怪我をした事例が報告されている。引き出しが飛び出すことを防止したり、観音開き等の扉等が開くことを防止する為の器具として、従来、留め金等が使われていた。しかし、留め金と取っ手の機能を一体化した器具はなかった。
【考案の開示】
【考案が解決しようとする課題】
【０００３】  地震の際にタンス等の引き出しが飛び出したり、観音開き等の扉等が開いて皿が飛び出したりして怪我をする等の災害を防止する必要があった。さらに、日常使用する際に、留め金等の器具がむき出しにならないよう、外観を美しくし、取っ手の機能と一体化することで、タンス等に取っ手と留め金を２種類装着しなければならなかった不便さを解消する必要があった。従って、留め金の機能を持つ台座１、２、３と取っ手５を一体化することで、前述の欠点を解決するものである。
【課題を解決するための手段】
【０００４】  本考案は、台座１を引き出し又は扉に装着し、台座３を台座１と接する引き出しと引き出しの間の桟や扉等に装着し、台座１、３に設けた９０度の鉤型の溝６、７に沿って台座２をスライドさせることで、留め金の機能を果たす。さらに、台座２に取っ手を装着することで取っ手の機能も果たし、１つの器具で留め金と取っ手の２つの機能を果たす。【０００５】  さらに、台座１の背面には、従来取っ手を固定していた穴を利用して付け替えられるように、２つのビスの穴８を設ける。また、ビスの穴を利用しない際は、両面テープで装着できるように、台座１と３の背面に両面テープを装着する。従って、取っ手を持ってスライドするだけで、留め金を開閉でき、引き出しや扉も開けることのできる、留め金と取っ手を一体化した耐震用グリップを実現し、前述の欠点を解決するものである。
【考案の効果】
【０００６】  上述の様に、本考案のタンス等の留め金兼取っ手の耐震用グリップは、本体を引き出しや観音開き等の扉及びそれに接する桟や扉等に装着することで、取っ手を持ってスライドするだけで、引き出しや観音開き等の扉等に留め金を掛けたり、取っ手として引き出しや扉を開けることができ、１つの器具で２通りの機能を果たすことを可能にした。又、留め金を掛けた状態では、地震が起きても、引き出しが飛び出したり、扉が開いて中の物が飛び散ったりして怪我をする等の災害を防止することができる。さらに、従来の取っ手を固定していた穴を利用して付け替えられるように、２つのビスの穴を設け、背面に両面テープを装着したことで、今まで使っていた家具にも装着することが可能である。よって、地震に対する防災に役立ち、日常の使いやすさを向上する。
【考案を実施するための最良の形態】
【０００７】  台座１は引き出しや観音開き等の扉等に装着及び固定し、台座２は台座１に被せて装着し、さらに台座３は引き出しと引き出しの間の桟や、観音開き等の扉等の、台座１と接する位置に装着及び固定する。台座１と台座３は同じ厚さである。台座１と３には、台座２をスライドさせる為の、９０度に曲がった鉤型の溝６（６Ａと６Ｂ）、７を設ける。６と７は同型同寸で、台座２を台座３の反対方向にスライドさせる溝６Ａと、台座２をの台座３上で溝６Ａから直角に右又は左又は下にスライドさせる溝６Ｂから成る。本体は６Ａの端点６ａで開錠の状態になり、６Ｂの端点６ｂで施錠の状態になる。台座２の表面には取っ手５を装着し、背面には溝６、７に挿入する突起１５、１６を装着する。【０００８】  さらに、台座１の背面には、従来の取っ手を固定していた穴を利用して付け替えられるように、２つのビスの穴を設ける。また、ビスの穴を利用しない際は、両面テープで装着できるように、台座１と３の背面に両面テープを装着する。
【実施例】
【０００９】  以下本考案を限定することを目的としない、本考案の実施例を図面に従って説明する。
実施例１  以下、添付図面１、３、４に従って実施例１を説明する。本実施例は、引き出しに装着する場合である。まず、台座１と３には、台座２をスライドさせる為の、９０度に曲がった鉤型の溝６（６Ａと６Ｂ）、７を設ける。６と７は同型同寸で、台座２を台座３の反対方向にスライドさせる溝６Ａと台座２をの台座３上で溝６Ａから直角に右又は左にスライドさせる溝６Ｂから成る。本体は６Ａの端点６ａで開錠の状態になり、６Ｂの端点６ｂで施錠の状態になる。溝の断面は凸の字型にし、溝に挿入する突起１５、１６が抜けないよう、硬質な素材で形成する。台座２の背面には溝６、７に挿入する突起１５、１６を装着し、同様に硬質な素材で形成する。台座２の表面には取っ手５を装着する。また、台座１の形は、台座２をスライドして端点６ｂの位置に持ってきた状態で、表から見えない形にする。【００１０】  さらに、台座１の背面には、従来の取っ手を固定していた穴を利用して付け替えられるように、２つのビスの穴を設ける。また、ビスの穴を利用しない際は、両面テープで装着できるように、台座１と３の背面に両面テープを装着する。【００１１】  実施例２  以下、添付図面２、３、４に従って実施例２を説明する。本実施例は、観音開きの扉に装着する場合である。実施例１と同様に本体を形成する。ただし、溝６の６Ｂは、溝６Ａから直角に下にスライドできるようにする。【００１２】  本考案の一実施例は上述の如き構成からなるものであるから、地震の際に引き出しや観音開き等の扉等が開かない、留め金と取っ手を兼ねる耐震用グリップを可能にした。
【図面の簡単な説明】
【００１３】
【図１】留め金と取っ手を兼ねる耐震用グリップの実施例１の正面図
【図２】留め金と取っ手を兼ねる耐震用グリップの実施例２の正面図
【図３】図１のｔ１−ｔ２に於ける溝６の断面図
【図４】留め金と取っ手を兼ねる耐震用グリップの実施例１、２の使用例の斜視図
【符号の説明】
【００１４】１−３  台座
５  取っ手
６  溝
６Ａ  台座３の反対方向にスライドさせる溝
６Ｂ  溝６Ａから直角に右又は左又は下にスライドさせる溝
７  溝
８  ビスの穴
１５、１６  溝に挿入する突起
【図１】
0003114006.tif 000003
【図２】
0003114006.tif 000004
【図３】
0003114006.tif 000005
【図４】
0003114006.tif 000006
【手続補正書】
【提出日】平成17年3月18日(2005.3.18)
【手続補正１】
【補正対象書類名】実用新案登録請求の範囲
【補正対象項目名】請求項２
【補正方法】変更
【補正の内容】
【請求項２】
請求項１の１、２、３、６、７が適宜素材、適宜形状で、特に６、７と６、７に挿入する突起１５、１６を硬質な適宜素材で作った、請求項１の留め金と取っ手を兼ねる耐震用グリップ。
【手続補正２】
【補正対象書類名】図面
【補正対象項目名】図１
【補正方法】変更
【補正の内容】
【図１】
0003114006.tif 000007